【手続補正書】
【提出日】平成27年12月1日(2015.12.1)
【手続補正１】
【補正対象書類名】特許請求の範囲
【補正対象項目名】全文
【補正方法】変更
【補正の内容】
【特許請求の範囲】
【請求項１】
１つ以上のコンピュータプロセッサにおいて実行される少なくとも１つのモジュールを含むシステムであって、該少なくとも１つのモジュールは、
ウェルネスプロバイダのリストを雇用主に提示し、ここで、該リストは、それぞれウェルネスサービスを提案し、前記雇用主又は該雇用主の従業員のジオロケーションに地理的に近接した領域内に位置する、ウェルネスプロバイダを特定し、
前記雇用主によって、雇用主ウェルネスプログラムの一部を形成することが認可された前記ウェルネスプロバイダの部分組を受信し、
前記認可されたウェルネスプロバイダの部分組を、前記従業員及び少なくとも１つの認可されたウェルネスプロバイダに提示するものである、システム。
【請求項２】
前記少なくとも１つのモジュールは、前記雇用主又は前記従業員がウェブサイト又はモバイルインタフェースを介して前記ウェルネスサービスの位置を特定するか、予約を行うか、又は支払いを行うことを更に可能にする、請求項１に記載のシステム。
【請求項３】
前記少なくとも１つのモジュールは、前記雇用主又は前記従業員が、ウェブサイト又はモバイルインタフェースを介して、前記雇用主又は前記従業員の前記ジオロケーションを入力し、前記雇用主又は前記従業員の前記ジオロケーションに地理的に近接して位置するウェルネスプロバイダのリストを特定することを更に可能にする、請求項１に記載のシステム。
【請求項４】
前記少なくとも１つのモジュールは、前記認可されたウェルネスプロバイダのうちの１つ以上のものが、前記従業員による前記関連するウェルネスサービスの使用を前記雇用主に報告するのを更に容易にする、請求項１に記載のシステム。
【請求項５】
ウェルネスプロバイダのリストを雇用主に提示するステップであって、該リストは、それぞれウェルネスサービスを提案し、前記雇用主又は該雇用主の従業員のジオロケーションに地理的に近接した領域内に位置する、ウェルネスプロバイダを特定するものである、提示するステップと、
前記雇用主によって、雇用主ウェルネスプログラムの一部を形成することが認可された前記ウェルネスプロバイダの部分組を受信するステップと、
前記認可されたウェルネスプロバイダの部分組を、前記従業員及び少なくとも１つの認可されたウェルネスプロバイダに提示するステップと
を含んでなる方法。
【請求項６】
１つ以上のコンピュータプロセッサにおいて実行される少なくとも１つのモジュールを含むシステムであって、該少なくとも１つのモジュールは、
ウェルネスサービスを提案し、
雇用主に提供されるウェルネスプロバイダのリストに登録し、なお、該リストは、前記雇用主又は該雇用主の従業員のジオロケーションに地理的に近接した領域内に位置するウェルネスプロバイダを特定し、
前記雇用主から、ウェルネスプロバイダとして従業員ウェルネスプログラムの一部を形成することの認可を受け取り、
前記雇用主に、前記従業員による前記ウェルネスサービスの使用を報告するものである、システム。
【請求項７】
前記少なくとも１つのモジュールは、前記雇用主又は前記従業員がウェブサイト又はモバイルインタフェースを介して前記ウェルネスサービスの位置を特定するか、予約を行うか、又は支払いを行うことを更に可能にする、請求項６に記載のシステム。
【請求項８】
前記少なくとも１つのモジュールは、前記従業員による前記ウェルネスサービスの使用の証拠を提供するのを更に容易にする、請求項６に記載のシステム。
【請求項９】
前記少なくとも１つのモジュールは、前記雇用主及び健康保険業者のうちの１つ以上のものに対し、重要業績評価指標に関する情報を更に提供する、請求項６に記載のシステム。
【請求項１０】
前記少なくとも１つのモジュールは、前記従業員による前記ウェルネスサービスの使用に基づいて、前記雇用主に対し生じる投資利益率に関する情報を前記雇用主に提供するのを更に容易にする、請求項６に記載のシステム。
【請求項１１】
ウェルネスサービスを提案するステップと、
雇用主に提供されるウェルネスプロバイダのリストに登録するステップであって、該リストは、前記雇用主又は該雇用主の従業員のジオロケーションに地理的に近接した領域内に位置するウェルネスプロバイダを特定する、登録するステップと、
前記雇用主から、ウェルネスプロバイダとして従業員ウェルネスプログラムの一部を形成することの認可を受け取るステップと、
前記雇用主に、前記従業員による前記ウェルネスサービスの使用を報告するステップと
を含んでなる方法。
【請求項１２】
１つ以上のコンピュータプロセッサにおいて実行される少なくとも１つのモジュールを含むシステムであって、該少なくとも１つのモジュールは、
ウェルネスプロバイダのリストを雇用主に提示し、なお、該リストは、前記雇用主又は該雇用主の従業員のジオロケーションに地理的に近接した領域内に位置するウェルネスプロバイダを特定し、
前記雇用主によって、雇用主ウェルネスプログラムの一部を形成することが認可された前記ウェルネスプロバイダの部分組を受信し、なお、該ウェルネスプログラムは、前記認可されたウェルネスプロバイダのうちの１つ以上のものによって提供されるサービスの従業員による使用のインセンティブを含み、
前記認可されたウェルネスプロバイダの部分組を、前記従業員及び少なくとも１つの認可されたウェルネスプロバイダに提示するものである、システム。
【請求項１３】
前記健康効果プログラムは、前記認可されたウェルネスプロバイダのうちの１つ以上のものによって提供される前記ウェルネスサービスの前記従業員による使用のインセンティブを含む、請求項１２に記載のシステム。
【請求項１４】
前記少なくとも１つのモジュールは、前記従業員がウェブサイト又はモバイルインタフェースを介して前記ウェルネスサービスの位置を特定するか、予約を行うか、又は支払いを行うのを更に容易にする、請求項１２に記載のシステム。
【請求項１５】
前記少なくとも１つのモジュールは、ウェブサイト又はモバイルインタフェースを介して前記ジオロケーションの入力を更に容易にし、前記地理的に近接した領域内に位置するウェルネスプロバイダのリストを特定する、請求項１２に記載のシステム。
【請求項１６】
前記少なくとも１つのモジュールは、前記認可されたウェルネスプロバイダのうちの１つ以上のものから、前記従業員による前記関連するウェルネスサービスの使用に関する報告を更に受信する、請求項１２に記載のシステム。
【請求項１７】
前記少なくとも１つのモジュールは、前記従業員による前記関連するウェルネスサービスの使用に対し、前記認可されたウェルネスプロバイダのうちの１つ以上のものに更に還付を行う、請求項１２に記載のシステム。
【請求項１８】
前記少なくとも１つのモジュールは、前記健康効果プログラムにおける前記従業員による参加の証拠を健康保険業者に更に提供する、請求項１２に記載のシステム。
【請求項１９】
前記少なくとも１つのモジュールは更に、前記健康効果プログラムにおける前記従業員による参加に対する役割報酬として前記健康保険業者からのインセンティブ又は還付を受け取る、請求項１２に記載のシステム。
【請求項２０】
前記少なくとも１つのモジュールは、前記認可されたウェルネスプロバイダのうちの１つ以上のものによって提供される前記ウェルネスサービスの重要業績評価指標に関する情報を更に受信する、請求項１２に記載のシステム。
【請求項２１】
前記少なくとも１つのモジュールは、前記健康効果プログラムにおける前記従業員による参加に基づいて投資利益率に関する情報を更に受信する、請求項１２に記載のシステム。
【請求項２２】
ウェルネスプログラム事業者からウェルネスプロバイダのリストを受信するステップであって、該リストは、それぞれウェルネスサービスを提案し、所定のジオロケーションに地理的に近接した領域内に位置する、ウェルネスプロバイダを特定する、受信するステップと、
前記ウェルネスプロバイダの部分組に、従業員健康効果プログラムの一部を形成することを認可するステップと、
前記認可されたウェルネスプロバイダの部分組を従業員に提示するステップと
を含んでなる方法。